(57)【要約】【課題】屋根の下地材の上に千鳥葺きされる平板瓦とその上段に隣接して葺かれる上段平板瓦との隙間に対して雨水の浸入を防止する。【解決手段】尻部Ａ、頭部Ｂ、差込部Ｃ及び桟部Ｄとから構成された瓦本体１１を備えた千鳥葺き平板瓦である。尻部Ａの表面２０に尻部水返し３０が設けられ、尻部水返し３０の桟部Ｄ寄りの部位に、尻部水返し３０の他の部位より高く嵩上げされた嵩上げ部３６が設けられ、嵩上げ部３６は、暴雨風時に、瓦本体１１とその上段斜め位置で葺かれた上方平板瓦１１ａとの隙間に吹上げられる雨水の浸入を防止する。【選択図】図８
2006312880.tif 000002
【特許請求の範囲】
【請求項１】
屋根の野地板に葺かれた場合に棟側に位置する尻部（Ａ）、同様に葺かれた場合に軒先側に位置する頭部（Ｂ）、一側部の差込部（Ｃ）及び他側部の桟部（Ｄ）から構成された瓦本体（１１）を備え、前記差込部（Ｃ）は、同一段に隣接して葺かれる隣接平板瓦（１１ｅ）の桟部により部分的に被覆されるものであり、前記桟部（Ｄ）は同様に葺かれる隣接平板瓦（１１ｅ）の差込部を部分的に被覆するものであり、前記尻部（Ａ）の表面（２０）に尻部水返し（３０）が設けられ、前記尻部水返し（３０）の前記桟部（Ｄ）寄りの部位に、前記尻部水返し（３０）の他の部位より高く嵩上げされた嵩上げ部（３６）が設けられ、前記嵩上げ部（３６）は、暴雨風時に、前記瓦本体（１１）と前記瓦本体（１１）の上段斜め位置で葺かれた上方平板瓦（１１ａ）との隙間に吹上げられる雨水の浸入を防止するものであることを特徴とする千鳥葺き平板瓦。
【請求項２】
前記瓦本体（１１）及び前記上方平板瓦（１１ａ）の頭部（Ｂ）側の端面の裏面（３８）側寄り縁部は先端下垂部（４３）になっており、前記嵩上げ部（３６）は、前記尻部水返し（３０）の頭部（Ｂ）側の部位に設けられていて、前記上方平板瓦（１１ａ）の先端下垂部（４３）の裏面側に隠れて位置するものである請求項１記載の千鳥葺き平板瓦。
【請求項３】
前記差込部（Ｃ）に、前記瓦本体（１１）の下段斜め位置に葺かれる下方平板瓦（１１ｂ）の尻部の略中央に設けた係合部（３７）が引っ掛かる被係止部（２８）を設けた請求項１又は２記載の千鳥葺き平板瓦。
【請求項４】
屋根の野地板に葺かれた場合に棟側に位置する尻部（Ａ）、同様に葺かれた場合に軒先側に位置する頭部（Ｂ）、一側部の差込部（Ｃ）及び他側部の桟部（Ｄ）から構成された瓦本体（１１）を備え、前記差込部（Ｃ）は、同一段に隣接して葺かれる隣接平板瓦（１１ｅ）の桟部により部分的に被覆されるものであり、前記桟部（Ｄ）は同様に葺かれる隣接平板瓦（１１ｅ）の差込部を部分的に被覆するものであり、前記尻部（Ａ）の表面（２０）に尻部水返し（３０）が設けられた千鳥葺き平板瓦を用いた屋根であって、前記桟部（Ｄ）の幅の範囲で同幅の方向に突条状に延びるとともに前記尻部水返し（３０）より高く形成された嵩上げ部（３６）が、前記瓦本体（１１）の上段斜め位置に葺く上方平板瓦（１１ａ）の頭部（Ｂ）側の端面の裏面（３８）側寄り縁部に設けた先端下垂部（４３）の直ぐ裏面側に隠れて位置するように、前記上方平板瓦（１１ａ）を葺いてなる千鳥葺き平板瓦屋根。
【発明の詳細な説明】
【技術分野】
【０００１】
本発明は、屋根の構成要素である野地板等の下地材の上に、いわゆる千鳥葺き施工される平板瓦、特に暴風雨にさらされても平板瓦とそれに隣接して葺かれる他の平板瓦との間の隙間から前記下地材側に雨水の浸入がない平板瓦と、該平板瓦を用いて葺いた屋根に関するものである。
【背景技術】
【０００２】
従来からこの種の平板瓦は公知であり、例えば、特開昭６３−１３０８４９号公報記載の瓦（公知技術）がある。すなわち、図１７に示すように、平板瓦の瓦本体（以下において、「平板瓦」とも称する）１の表面２を、刷毛状の平面形状をなすテーブルマウント３により、横方向に略２分割して、前記表面２を流下する雨水を分流させる構造の平板瓦が公知である。
【０００３】
この平板瓦を前記下地材の上において軒先側から棟側に向かって葺上げ施工する場合、平板瓦とそれに隣接して葺かれる他の平板瓦との間に形成される隙間を屋根全体に分散させるために、図１８に示すように、瓦本体１の上段斜め位置に同様の構造を有する他の瓦本体、すなわち、上方平板瓦１ａを矢印Ｘの方向に、瓦本体１の横幅Ｗの半分だけずらせて、瓦本体１に対して部分的に重ねて葺き上げる施工法、すなわち千鳥葺き工法が採用される。そのため、前記上方平板瓦１ａにおいて、それに隣接する他の上方平板瓦の桟部（図示なし）に被覆される差込部Ｃ寄りの第一表面（図の左側表面）２ａを流下する雨水は、矢印Ｚに示すように、その下段に葺かれる瓦本体１の桟部Ｄ寄りにある第二表面（図の右側表面）２ｂ上に落下し、屋根の傾斜面に流下してゆくにつれて、流量又は流速を高める。従って、前記瓦本体１は、その表面２に降雨した雨水を瀧状に流下させて、瓦本体１同士の隙間に雨水を浸入し難くするという特有の効果を発揮している。
【０００４】
ところが、前記公知技術に係る瓦本体１においては、その表面２が全体として平坦になっている上に、前記テーブルマウント３の先端部３ａが尻部水返し７と連接していないために、上方平板瓦１ａの第一表面２ａから瓦本体１の第二表面２ｂ上に落下した雨水は、第二表面２ｂの尻部Ａ寄りの部位Ｐで面状に拡がり、その結果、第二表面２ｂを流下する雨水の流速が低下するとともに、雨水の流下量によっては第一表面２ａに雨水が流れ込み、ひいては瓦本体同士が隣接する隙間に雨水が浸入し易くなるという問題がある。雨水が前記隙間に浸入しても、前記差込部Ｃには突条の差込部水返し４が設けられているので、そこで雨水が受け止められて頭部Ｂ側に流下するが、筋葺きされる、いわゆるＪ型瓦における隙間と異なり、開口を上方に向けて隙間をつくる千鳥葺き平板瓦においては、その隙間に対する防水性能は、Ｊ型瓦のそれより劣ることは否定できない。
【０００５】
そこで、本発明者は、屋根の下地材の上に千鳥葺きされる平板瓦上に降水した雨水を相隣接する平板瓦間の隙間により入り難くするために、鋭意、研究したところ、前記平板瓦の表面上に円弧面状の溝部を１枚の平板瓦につき２筋形成して、それらのいずれかの溝部に対して平板瓦に降水した雨水が確実、迅速に集水されるようにすれば、その平板瓦はＪ型瓦の排水機能と同様に機能を具備するに至り、その結果、前記溝部に集水された雨水の流下速度は屋根の下流側にゆくにつれて増大して、前記隙間に浸水し難くなるという事実を見出した。
【０００６】
そして、屋根の下地材の上に千鳥葺きされる平板瓦に降雨した雨水を平板瓦の特定の表面に集水させて水路を形成することにより、流速又は流量を高めて雨水を流下させるとともに、その平板瓦と同一段に隣接して葺かれる隣接平板瓦との隙間に流下する雨水を浸入し難くすることを検討した。
【特許文献１】特開昭６３−１３０８４９号公報
【発明の開示】
【発明が解決しようとする課題】
【０００７】
また、上記のように平板瓦と隣接する平板瓦との隙間に流下する雨水の浸入防止策が必要なのは、暴風雨を伴う多量の降雨時であるので、本発明の課題は、対象としている平板瓦の上下段に隣接して葺かれる上下段平板瓦との隙間に暴風雨の雨水が浸入しないよう防水することにある。
【課題を解決するための手段】
【０００８】
前記課題を解決するために、本発明の千鳥葺き平板瓦は、屋根の野地板に葺かれた場合に棟側に位置する尻部（Ａ）、同様に葺かれた場合に軒先側に位置する頭部（Ｂ）、一側部の差込部（Ｃ）及び他側部の桟部（Ｄ）から構成された瓦本体（１１）を備え、前記差込部（Ｃ）は、同一段に隣接して葺かれる隣接平板瓦（１１ｅ）の桟部により部分的に被覆されるものであり、前記桟部（Ｄ）は同様に葺かれる隣接平板瓦（１１ｅ）の差込部を部分的に被覆するものであり、前記尻部（Ａ）の表面（２０）に尻部水返し（３０）が設けられ、前記尻部水返し（３０）の前記桟部（Ｄ）寄りの部位に、前記尻部水返し（３０）の他の部位より高く嵩上げされた嵩上げ部（３６）が設けられ、前記嵩上げ部（３６）は、暴雨風時に、前記瓦本体（１１）と前記瓦本体（１１）の上段斜め位置で葺かれた上方平板瓦（１１ａ）との隙間に吹上げられる雨水の浸入を防止するものであることを特徴とする。
【０００９】
本発明において千鳥葺きされる平板瓦に対して暴風雨時にも前記機能を完全に発揮させるには、その前提として平板瓦が暴風雨により吹き飛ばされないようにする手段も併せて講ずる必要がある。そこで、前記差込部（Ｃ）に、前記瓦本体（１１）の下段斜め位置に葺かれる下方平板瓦（１１ｂ）の尻部の略中央に設けた係合部（３７）が引っ掛かる被係止部（２８）を設けるとよい。
【００１０】
そしてこの手段を採用するとき、前記係合部の側面形状をフック形乃至はうねり波形にするとともに、前記被係止部を前記差込部の側部において前記頭部寄りの途中を上面から部分的に肉盗みをして蹴上げ状に形成する。さらに好ましくは、前記被係合部の下面を実質上瓦本体の下面と面一にするとともに、前記被係合部に対して、瓦本体が暴風雨を受けても、斜め下方に葺かれる下方平板瓦の係止部との係合が維持されるに十分な強度を保持させる。具体的には、前記被係合部を瓦本体の内方にゆくにつれて厚肉に形成する。
【００１１】
また、前記瓦本体（１１）及び前記上方平板瓦（１１ａ）の頭部（Ｂ）側の端面の裏面（３８）側寄り縁部は、先端下垂部（４３）になっているとよい。そして、前記嵩上げ部（３６）は、前記尻部水返し（３０）の頭部（Ｂ）側の部位に設けられていて、前記上方平板瓦（１１ａ）の先端下垂部（４３）の裏面側に隠れて位置するものであるとよい（図８参照）。
【００１２】
また、前記尻部水返しは、前記瓦本体の表面のうち、降雨した雨水を受ける表面より高い堰状の尻部水返しとするとよい。
さらに好ましくは、瓦本体の表面に尻部から頭部にかけて実質上連続して延びる円弧面状の溝部を２筋、前記同様に尻部から頭部にかけて連続して延びる中央平坦部を介して設けるとよい。さらに、その中央平坦部を前記尻部水返しと連接するとよい。
【００１３】
このように瓦本体の表面に尻部から頭部にかけて実質上連続して延びる円弧面状の溝部を２筋、前記同様に尻部から頭部にかけて連続して延びる中央平坦部を介して設けた平板瓦で千鳥葺きされた屋根は、この手段を採用することにより、屋根の全面において、複数の前記溝部が、棟部から軒先部にかけて連続した状態で平行に配分されるので、屋根は、平板瓦で千鳥葺きされているにも拘わらず、あたかも、Ｊ型瓦が屋根に筋葺きされた場合と同様の機能を発揮して、屋根に降水した雨水をいずれかの溝部に確実かつ迅速に集水して、瀧状に流下させる。
【００１４】
また、本発明の千鳥葺き平板瓦屋根は、屋根の野地板に葺かれた場合に棟側に位置する尻部（Ａ）、同様に葺かれた場合に軒先側に位置する頭部（Ｂ）、一側部の差込部（Ｃ）及び他側部の桟部（Ｄ）から構成された瓦本体（１１）を備え、前記差込部（Ｃ）は、同一段に隣接して葺かれる隣接平板瓦（１１ｅ）の桟部により部分的に被覆されるものであり、前記桟部（Ｄ）は同様に葺かれる隣接平板瓦（１１ｅ）の差込部を部分的に被覆するものであり、前記尻部（Ａ）の表面（２０）に尻部水返し（３０）が設けられた千鳥葺き平板瓦を用いた屋根であって、前記桟部（Ｄ）の幅の範囲で同幅の方向に突条状に延びるとともに前記尻部水返し（３０）より高く形成された嵩上げ部（３６）が、前記瓦本体（１１）の上段斜め位置に葺く上方平板瓦（１１ａ）の頭部（Ｂ）側の端面の裏面（３８）側寄り縁部に設けた先端下垂部（４３）の直ぐ裏面側に隠れて位置するように、前記上方平板瓦（１１ａ）を葺いてなることを特徴とする。
【発明の効果】
【００１５】
本発明に係る平板瓦に千鳥葺きされた屋根が暴風雨にさらされ、多量の降雨を受けたときでも、平板瓦とその上段に隣接する上段平板瓦との隙間に暴風雨の雨水の浸入を防止できるという優れた効果を発揮する。
【発明を実施するための最良の形態】
【００１６】
次に、図面に沿って、本発明を実施するのに最良の形態について詳述する。図１〜６に示すように、本発明に係る平板瓦乃至はその瓦本体１１は、公知技術に係る平板瓦と同様に、平面が略正方形をなす平らな陶板からできており、屋根の野地板に葺かれた場合、棟側に位置する尻部Ａ、軒先側に位置する頭部Ｂ、同一段に隣接して葺かれる隣接平板瓦の側部（後述する桟部）により部分的に被覆される差込部Ｃ及び同様に葺かれる隣接平板瓦の側部（前記差込部）を部分的に被覆する桟部Ｄとから構成される。
【００１７】
瓦本体１１の表面２０は全体として総じて平らな面をなしているが、尻部Ａから頭部Ｂにかけて実質上連続して延びる円弧面状の第一、第二溝部２１、２２が２筋、前記同様に尻部Ａから頭部Ｂにかけて連続して延びる頂部が平らな中央平坦部２３を介して、形成されており、前記表面２０に降雨した雨水は、最終的にはこれら第一、第二溝部２１、２２に集水されて流下するようになっている。
【００１８】
また、前記中央平坦部２３において前記第二溝部２２寄りの部位には、その溝部に沿って１条の流し溝２３ａが設けられており、雨水が前記中央平坦部２３を越えて第一、第二溝部２１、２２間を移動し難くしているとともに、後述するように、その流し溝２３ａを、瓦本体１１の上段斜め位置に葺かれる上方平板瓦（前記図中には図示なし）又は前記瓦本体の下段斜め位置に葺かれる下方平板瓦（前記図中には図示なし）の側端面の延長線上に存在させることにより、この平板瓦で葺かれた屋根が、Ｊ型瓦で筋葺きされたような外観乃至は平板瓦の半分の幅しかない小割り瓦で葺かれたような外観を呈するようにしている。
【００１９】
さらに瓦本体１１において前記第一溝部２１の差込部Ｃ側の表面が、第一溝部２１に沿って細長い尾根部２４として残して、段差状に低く切り落とされて、前記瓦本体１１と同一段において隣接する隣接平板瓦に部分的に差し込まれる差込端部２５を形成している。そしてその差込端部２５の表面に２筋の突条水返し２６、２７が、前記尻部A側から頭部Ｂ側に向かって平行に形成されており、瓦本体１１と隣接して葺かれる隣接平板瓦の桟部を支承するとともに、前記瓦本体１１と隣接平板瓦との間の隙間に侵入した雨水を、前記差込端部２５上で受け取って、頭部Ｂ側に流下させるようになっている。なお、前記差込端部２５のうち頭部Ｂの端部は先端にゆくにつれて傾斜が付けられて傾斜端部２５ａになっており、雨水の逆流が抑制されている。
【００２０】
また、前記差込端部２５の側部において前記頭部Ｂ寄りの途中がその上面から部分的に肉盗みされて、蹴上げ状をなす被係止部２８が形成されており、後述する係合部がそれに係止して、瓦本体１１が暴風雨を受けても上段の斜め位置に葺かれる上方平板瓦が吹き飛ばされるのを抑止するようになっている。なお、前記２筋の突条水返し２６、２７のうち、最も外方を走る外側突条水返し２６は、尻部Ａ側で屈曲して鉤状をなすとともに他の部位より若干高くなって、差込端部２５に落下した雨水を尻部Ａ側の外方に溢流させないようになっているとともに、外側突条水返し２６は前記被係止部２８の近くでそれを回折して、雨水を被係止部２８に浸入させないようにしている。また、前記被係止部２８の厚さ方向の断面は、図７に示すように、全体的に同じ肉厚で形成するか、または瓦本体１１の内方にゆくにつれて厚肉に形成されており、瓦本体１１が暴風雨を受けても、前記被係止部２８は、それと他の瓦本体の係止部との係合が維持されるに十分な強度を有するように設計されている。
【００２１】
再び、図１〜６に戻って、瓦本体１１の桟部Ｄ側の表面２０において第二溝部２２の外方には、中央平坦部２３と略同様の桟側平坦部２９が形成されており、第二溝部２２を流下する雨水が瓦本体１１から溢れないように下方に誘導する。
【００２２】
次に、瓦本体１１の表面のうち、尻部Ａ側の表面２０は、他の表面より一段高くなっており、瓦本体１１における堰状の尻部水返し３０が形成されている。そして尻部水返し３０は、前記中央平坦部２３、尾根部２４及び桟側平坦部２９と連接して、瓦本体１１の上段に葺かれた上段平板瓦から瓦本体１１に落下する雨水が、公知技術と異なり、第一溝部２１と第二溝部２２との間で交流しないようになっている。なお、前記中央平坦部２３、尾根部２４及び桟側平坦部２９において前記尻部水返し３０に近い部位には、該尻部水返し３０に沿って中央平坦部２３、尾根部２４及び桟側平坦部２９のそれぞれが溝状に切り欠かれた係止凹部３１、３２、３３が形成されており、後述するように、上段で葺かれる上段平板瓦の頭部B側の先端下垂部（後述）を嵌入させて、瓦本体１１と前記上段平板瓦との相対的な位置決め機能を発揮させるるともに、相対的に前記尻部水返し３０の高さを高くして水返し機能を向上させる。
【００２３】
さらに尻部水返し３０には、瓦本体１１を下地材に釘で止着するための釘係止孔３４が所定間隔をおいて２個設けられているとともに、瓦本体１１の尻部Ａをその裏面側から前記下地材上に支承する山形支承部（後述）の谷型窪み部３５が、所定間隔をおいて、２箇所に形成されている。また、尻部水返し３０において桟部Ｄ寄りの部位には該尻部水返し３０より高く嵩上げされた嵩上げ部３６が設けられており、図８に示されるように、瓦本体１１の上段斜め位置で葺かれる上方平板瓦１１ａの頭部Ｂ側中央部を下方から支承するとともに、暴風時に雨水が両瓦本体１１と上方平板瓦１１ａとの隙間から吹き上がるのを防止している。嵩上げ部３６は桟部Ｄの幅の範囲で同幅の方向に突条状に延びている。
【００２４】
さらに加えて、尻部水返し３０の中央位置より僅かに差込部Ｃ寄りの部位には、瓦本体１１の上段斜め位置に葺かれる上方平板瓦１１ａの被係止部２８と係合する係合部３７が突設されている。この係合部３７は、フック形乃至はうねり波形の側面形状をなして、基端部３７ａは下方にゆくにつれて太く形成されて、尻部水返し３０との接合強度が大きくなっているのに対し、先端部３７ｂは前記被係止部２８に対する引っ掛け強度と両者の相対的位置決めを確実にしている（図７を参照）。
【００２５】
次に、瓦本体１１の裏面について説明すると、図９〜１３に示すように、同裏面３８であって、前記表面２０の中央平坦部２３、尾根部２４及び桟側平坦部２９の裏側に相当する部位には、リブ３９、４０、４１が尻部Ａから頭部Ｂに向かって形成され、瓦本体１１を補強している。また前記尻部水返し３０の裏側には、前記谷型窪み部３５が裏面側に窪んだ分に相当する分だけ裏面側に突出した支承部４２が形成されており、瓦本体１１を下地材に支承する機能を果たすようになっている。
【００２６】
さらに、頭部Ｂ側の端面の裏面３８側寄り縁部は、前記係止凹部３２、第一溝部２１、係止凹部３１、第二溝部２２及び係止凹部３３の表面に当接可能な形状にトリミングされた先端下垂部４３になっており（図１参照）、その先端下垂部４３は、図１４に示すように、瓦本体１１に部分的に重ねて上段に葺かれる上段平板瓦１１ｕを、又は瓦本体１１に部分的に重ねられて下段に葺かれる下段平板瓦１１ｄをそれぞれ葺くとき、瓦本体１１と上下段平板１１ｕ、１１ｄとの間に生ずる隙間を塞ぐと同時に、その一部分は前記係止凹部３２、３１、３３に嵌入して、瓦本体１１等の相対的位置決め機能を果たす。また、前記嵩上げ部３６は、尻部水返し３０の頭部Ｂ側の部位に設けられていて、上方平板瓦１１ａの頭部Ｂ側中央部の先端下垂部４３の裏面側に隠れて位置する（図８参照）。なお、前記桟部Ｄ側の先端下垂部４３は部分的に切り落とされてアンダーカット部４４となっており、隣接して葺かれる隣接平板瓦１１ｅにおける被係止部２８の傾斜端部２８ａを被覆して該傾斜端部２８ａに対する雨水の逆流防止機能を果たしている（図１４参照）。
【００２７】
以上のように構成される瓦本体１１を野地板上に葺き上げてゆく場合について、任意の瓦本体をベースにして説明すると、図８に示すように、１枚の瓦本体１１を前記野地板に載せ、その釘係止孔３４に釘（図示なし）を通して瓦本体１１を基準の位置に固定する。次にその瓦本体１１に隣接する隣接平板瓦１１ｅの差込部Ｃを、矢印Ｙの向きに、瓦本体１１の桟部Ｄの下に差し込んで、同段の平板瓦を葺く。勿論、その手順を逆にして隣接平板瓦１１ｅを基準の位置に固定し、その隣接平板瓦１１ａの差込部Ｃに対して瓦本体１１の桟部Ｄを重ねるようにして葺くこともできる。これらの場合、それぞれ下段の斜め下の位置に下方平板瓦１１ｂが葺かれており、その係止部３７に瓦本体１１の被係止部２８を係止させながら、千鳥葺き工法を進めることは当然である。このように千鳥葺きされる平板瓦１１の桟部Dに対して隣接平板瓦１１ｅの差込部Ｃを横方向に差し込むだけで、平板瓦１１の被係止部２８が下段の斜め位置に葺かれた下方平板瓦１１ｂの係止部３７と係合する。従来技術の平板瓦１を千鳥葺きする場合において、差込部水返し４の頭部Ｂ側先端に形成してある係止部５を、下段の斜め位置で葺かれる下方平板瓦の尻部Ａ側中央に形成してある凹状の被係止部６に嵌入係止させるとき、図１８に示すように、平板瓦１を屋根の軒先側にもスライドさせる操作が必要であるが、この平板瓦１１を千鳥葺きするときこのような操作を必要としない。
【００２８】
続いて瓦本体１１の係止部３７に上段の斜め位置に上方平板瓦１１ａの被係止部２８を係止させるとともに、先端下垂部４３を前記係止凹部３２、係止凹部３１、係止凹部３３に落とし込む。すると、上方平板瓦１１ａは、同時に二つの支承部４２及び係止部３７により、野地板及び瓦本体１１上の正確な位置に設置される。また、瓦本体１１の嵩上げ部３６は、上方平板瓦１１ａの先端下垂部４３の直ぐ裏面側に該裏面と略平行して隠れて位置する（図８参照）。以降、同様にして野地板に平板瓦１１が、図１４に示すように、葺き上げ施工される。
【００２９】
このように葺かれた屋根が暴風雨にさらされると、面状に配置された多数枚の平板瓦１１は、基準として葺かれた平板瓦と最終的に葺き上げられた屋根周縁部の平板瓦さえ、確実に野地板に固定すれば、他の平板瓦は、相互に前記被係止部２８と係止部３４との共働作用により野地板上に固定される。
【００３０】
一方、平板瓦１１の表面２０に降った雨水は、最終的に第一、第二溝部２１、２２に集められるとともに、第一溝部２１に集められた雨水は軒先に到達するまで、従来技術と異なり、第二溝部２２に流れ込むことはほとんどないし、またその逆もない。そのため雨水が各溝部２１、２２を流下してゆく過程で流速乃至は流量を増大させるので、この平板瓦１１はあたかもＪ型瓦のような優れた排水機能を発揮する。なお、同一段において隣接して葺かれる平板瓦同士の隙間に雨水が浸入するのは、尾根部２４と桟側平坦部２９に降雨した雨水の一部であるが、これは公知技術と同様に差込端部２５に受けられて流下する。
【００３１】
また、本体瓦１１とその上下段に葺かれる上下段平板瓦１１ｕ、１１ｄとの間に形成される隙間は、各平板瓦の先端下垂部４３により遮断されているので、暴風雨時に平板瓦がめくり上がることもないし、雨水の浸入もない。
【００３２】
この平板瓦１１により葺かれた屋根においては、中央平坦部２３上の流し溝２３ａは、上下段本体瓦瓦１１ｕ、１１ｄの桟側平坦部２９の端面を延長させた線上に設置されているので、中央平坦部２３と第二溝部２２間の雨水の交流を遮断する効果以外に、屋根全体を見ると平板瓦を筋葺きしたような外観又は小割り瓦で葺かれたような外観を呈し、屋根の見栄えを向上させるという効果を発揮する。
【００３３】
前記実施の形態の一部分を、例えば次のように変更してもよい。（１）図１５に示すように、第一、第二溝部２１，２２と尻部水返し３０との境界形状２１ａ，２２ａを湾曲に形成することもできる。（２）その他、第一、第二溝部２１，２２の平面形状や深さ、中央平坦部２３，尾根部２４及び桟部平坦部２９の平面形状や表面状態等は平板瓦１１がＪ型瓦的な機能を損なわない限度に変更でき、例えば、中央平坦部２３の表面状態は完全な平面でなくても、図１６に示すように、上に緩やかな膨らみを有する曲面形状であってもよく、またミクロ的な凹凸を有していてもよい。（３）前記中央平坦部２３の流し溝２３ａに変えて同様の機能を発揮する流し突条を採用することもできる。
【産業上の利用可能性】
【００３４】
本発明は、建物の傾斜した屋根を葺く瓦として広く利用される。
【図面の簡単な説明】
【００３５】
【図１】本発明に係る平板瓦の斜視図である。
【図２】同平板瓦の平面図である。
【図３】同じく背面図である。
【図４】同正面図である。
【図５】左側面図である。
【図６】右側面図である。
【図７】瓦本体の被係止部と下方平板瓦の係止部との係止状態を示す部分破断斜視図である。
【図８】本発明に係る平板瓦を千鳥葺きにした状態を示す部分斜視図である。
【図９】同平板瓦の底面図である。
【図１０】図９におけるＥ−Ｅ方向の断面図である。
【図１１】図９におけるＦ−Ｆ方向の断面図である。
【図１２】図９におけるＧ−Ｇ方向の断面図である。
【図１３】図９におけるＨ−Ｈ方向の断面図である。
【図１４】本発明に係る平板瓦を千鳥葺きにした屋根の部分斜視図である。
【図１５】上記平板瓦の溝部と尻部水返しとの境界形状に関する別の態様を示す平面図である。
【図１６】同じく上記瓦の中央平坦部等について別の態様を示す断面図である。
【図１７】従来技術に係る平板瓦の斜視図である。
【図１８】同平板瓦を千鳥葺きにした状態を示す斜視図である。
【符号の説明】
【００３６】
１  瓦本体
１ａ  上方平板瓦
２  表面
２ａ  第一表面
２ｂ  第二表面
３  テーブルマウント
３ａ  先端部
４  差込部水返し
５  尻部水返し
１１  瓦本体（平板瓦）
１１ａ  上方平板瓦
１１ｂ  下方平板瓦
１１ｕ  上段平板瓦
１１ｄ  下段平板瓦
１１ｅ  隣接平板瓦
２０  表面
２１  第一溝部
２１ａ  境界形状
２２  第二溝部
２２ａ  境界形状
２３  中央平坦部
２３ａ  流し溝
２４  尾根部
２５  差込端部
２５ａ  傾斜端部
２６  突条水返し
２７  突条水返し
２８  被係止部
２９  桟側平坦部
３０  尻部水返し
３１  係止凹部
３２  係止凹部
３３  係止凹部
３４  釘係止孔
３５  谷型窪み部
３６  嵩上げ部
３７  係止部
３７ａ  基端部
３７ｂ  先端部
３８  裏面
３９  リブ
４２  支承部
４３  先端下垂部
４４  アンダーカット部
Ａ  尻部
Ｂ  頭部
Ｃ  差込部
Ｄ  桟部
Ｐ  部位
Ｗ  横幅
Ｘ  矢印
Ｙ  矢印
Ｚ  矢印
【図１】
2006312880.tif 000003
【図２】
2006312880.tif 000004
【図３】
2006312880.tif 000005
【図４】
2006312880.tif 000006
【図５】
2006312880.tif 000007
【図６】
2006312880.tif 000008
【図７】
2006312880.tif 000009
【図８】
2006312880.tif 000010
【図９】
2006312880.tif 000011
【図１０】
2006312880.tif 000012
【図１１】
2006312880.tif 000013
【図１２】
2006312880.tif 000014
【図１３】
2006312880.tif 000015
【図１４】
2006312880.tif 000016
【図１５】
2006312880.tif 000017
【図１６】
2006312880.tif 000018
【図１７】
2006312880.tif 000019
【図１８】
2006312880.tif 000020